(57)【要約】複数の同等の優先順位の記述を生成するためにｆｉｎｅ−ｇｒａｎｕｌａｒ  Ｓｃａｌａｂｉｌｉｔｙ符号化に従って、入力映像をベースレイヤとエンハンスメントレイヤとに符号化され、次いで、生成された記述は復号化器により復号化される、改善された符号化スキームを提供する提供するシステム及び方法について開示している。複数の同等の優先順位のパーティションは、所定の基準に従って、ベースレイヤ、エンハンスメントレイヤ及び前方エラー訂正（ＦＥＣ）符号から生成されるパーティションを有する。
2006511157.tif 000002
【特許請求の範囲】
【請求項１】
映像データを符号化する方法であって；
入力映像データを受信する段階；
未符号化映像データのためのＤＣＴ係数を決定する段階；
ｆｉｎｅ−ｇｒａｎｕｌａｒ  ｓｃａｌａｂｉｌｉｔｙ符号化に従って、ＤＣＴ係数をベースレイヤビットストリームとエンハンスメントレイヤビットストリームとに符号化する段階；並びに
前記ベースレイヤビットストリーム及び前記エンハンスメントレイヤビットストリームを複数の同等の優先順位の記述に変換する段階；
を有することを特徴とする方法。
【請求項２】
請求項１に記載の方法であって：
異なる送信チャネルに対して前記の変換された記述のレイヤを送信する段階；
を更に有する、ことを特徴とする方法。
【請求項３】
請求項１に記載の方法であって：
前記の複数の同等の優先順位の記述を復号化する段階；
を更に有する、ことを特徴とする方法。
【請求項４】
請求項３に記載の方法であって、前記の複合化する段階は、前記の複数の同等の優先順位の記述の少なくとも１つに基づいて実行される、ことを特徴とする方法。
【請求項５】
請求項１に記載の方法であって、前記の複数の同等の優先順位のパーティションは、所定の基準に従って、ベースレイヤビットストリーム、エンハンスメントレイヤビットストリーム及び前方エラー訂正（ＦＥＣ）符号から生成されたパーティションを有する、ことを特徴とする方法。
【請求項６】
入力映像を符号化するための装置であって：
コンピュータ実行可能処理段階を記憶するメモリ；並びに
（ｉ）ｆｉｎｅ−ｇｒａｎｕｌａｒ  ｓｃａｌａｂｉｌｉｔｙ符号化に従って符号化された入力映像データを有するベースレイヤ及びエンハンスメントレイヤを受信するため、（ｉｉ）前記ベースレイヤ及び前記エンハンスメントレイヤを複数の同等の優先順位の記述に変換するため、並びに（ｉｉｉ）異なる送信チャネルに対して前記の変換された同等の優先順位の記述を送信するため、に前記メモリに記憶された前記処理段階を実行する処理器；
を有することを特徴とする装置。
【請求項７】
請求項６に記載の装置であって：
前記の複数の同等の優先順位の記述の少なくとも１つを復号化するための手段；
を有することを特徴とする装置。
【請求項８】
請求項７に記載の装置であって、前記復号化手段はＭＰＥＧ−４復号化器である、ことを特徴とする装置。  
【請求項９】
請求項６に記載の装置であって、複数の同等の優先順位のパーティションは、ベースレイヤビットストリーム、エンハンスメントレイヤビットストリーム及び前方エラー訂正（ＦＥＣ）符号から生成されたパーティションを有する、ことを特徴とする装置。
【請求項１０】
請求項６に記載の装置であって、複数の同等の優先順位のパーティションは、ベースレイヤビットストリーム、エンハンスメントレイヤビットストリーム及び前方エラー訂正（ＦＥＣ）符号から生成された、ことを特徴とする装置。
【請求項１１】
入力映像データを処理するシステムであって；
入力映像データのＤＣＴ係数を決定するための手段；
ｆｉｎｅ−ｇｒａｎｕｌａｒ  ｓｃａｌａｂｉｌｉｔｙ符号化に従って、入力映像データを有するベースレイヤビットストリームとエンハンスメントレイヤビットストリームとにＤＣＴ係数を符号化する手段；並びに
前記ベースレイヤ及び前記エンハンスメントレイヤを複数の同等の優先順位の記述に変換する手段；
を有することを特徴とするシステム。
【請求項１２】
請求項１１に記載のシステムであって：
異なる送信チャネルに対して前記の複数の同等の優先順位の記述のレイヤの少なくとも１つを送信するための手段；
を更に有する、ことを特徴とするシステム。
【請求項１３】
請求項１１に記載のシステムであって：
前記の複数の同等の優先順位の記述の少なくとも１つを復号化するための手段；
を更に有する、ことを特徴とするシステム。
【請求項１４】
請求項１１に記載のシステムであって、前記の複数の同等の優先順位のパーティションは、所定の基準に従って、ベースレイヤビットストリーム、エンハンスメントレイヤビットストリーム及び前方エラー訂正（ＦＥＣ）符号から生成されたパーティションを有する、ことを特徴とするシステム。
【請求項１５】
請求項１３に記載のシステムであって、前記復号化手段はＭＰＥＧ−４復号化器である、ことを特徴とするシステム。
【発明の詳細な説明】
【技術分野】
【０００１】
本発明は、映像符号化システムに関する。本発明は、特に、ロバストで効率的な映像伝送を可能にする先進的なソース符号化スキームに関する。
【背景技術】
【０００２】
画像／映像符号化のための新たなマルチメディア圧縮規格は、複数解像度（ＭＲ）又は符号化ビットストリームの階層化表現の方向に展開している。例えば、スケーラビリティを支援するために、次世代の画像及び映像圧縮規格、即ち、ＪＰＥＧ−２０００及びＭＰＥＧ−４を強力に推し進めている。
【０００３】
スケーラブルな映像符合化は、一般に、異なる、映像のフレーム当たりのデータの量又はレベルを与えることができる符合化技術をいう。今日、そのような技術は、符合化された影像データを出力するときにフレキシビリティを提供するために、例えば、ＭＰＥＧ−１、ＭＰＥＧ−２及びＭＰＥＧ−４等の映像符合化規格により用いられている。ＭＰＥＧ−１及びＭＰＥＧ−２映像圧縮技術は自然映像からの矩形ピクチャに限定されている一方、ＭＰＥＧ−４  ｖｉｓｕａｌの範囲はかなり広い。ＭＰＥＧ−４  ｖｉｓｕａｌは、自然映像及び合成映像の両方が符合化されることを可能にし、シーンにおける個別のオブジェクトへのコンテンツに基づくアクセスを与える。
【０００４】
スケーラブルな符合化スキームに対する基礎的前提又はデザイン開始ポイントは、ベースレイヤに対する最小ビットレートと損失率、及びより上位のレイヤに対するビットレートと損失率の他の好ましくない集合を生成するために、異なる映像ビットストリームレイヤに不同等のエラー保護を適用することができることである。その前提は、屋内の無線ＬＡＮ又は将来の差別化サービスを有するインターネットのような多くのネットワークにおいて有効であるが、各々自体がボトルネックを有する種々の経路の集合が送信器と受信器との間に存在するインターネット又はマルチアンテナ伝送システムのような、多くの他のタイプのネットワークにおいては無効であり又は最適ではない。このことは、それ故、多様な経路を有するネットワークに効率的にマッピングされる圧縮映像の複数の記述を生成する効率的な機構に対する要請を強調するものである。
【０００５】
複数の記述（ＭＤ）のソース符号化は、同等且つ無相関エラー特性を有する複数のチャネルに対するロバスト伝送のための交互フレームワークとして、最近、出現したものである。そのようなチャネルの例は、インターネット又は複数のアンテナ−無線システムのような、最善努力式の異種パケットネットワークにおいてみられる。
【０００６】
ＭＤ符号化の基本的概念は、各々の記述が特定の忠実度を有するソースを独立して記述するようなソースの複数の独立した記述を生成し、２つ以上の記述が利用可能であるとき、それらの記述が再構成されるソース品質をエンハンスするように相乗効果的に結合されることができることである。ＭＤ符号化に関する従来の業績の殆どは、記述間の相関を有するＭＤスカラ量子化器及び変換器のような、ソース符号化に基づく方法に限られている。映像符号化分野においては、ＭＤの業績の殆どは動き推定及び補償の特徴に焦点が当てられており、それ故、ｎ個の記述（ｎ＞２）のケースを生成するようにそれらの方法を一般化することは困難である。即ち、この方法による主な短所は、各々の記述における基準の不整合を符号化且つ送信する必要性のために３つ以上の記述に対するスケーラビリティの欠如である。更に、今日のＭＤＣ映像−符号化器構造は、当該技術分野の現状、即ち、ＭＰＥＧ−４のような映像符号化規格とは非常に異なり、それと比べて複雑であり、それ故、ＭＤＣは現在の形のままでは、近い将来における多くのアプリケーションに対して広く受け入れられるようにはみえない。即ち、他の短所は、符号化及び復号化の両方のためのＭＰＥＧ及びＨ．２６３又はＨ．２６Ｌのような既存の符号化規格とそれが適合していないことである。それ故、ＭＤ−ＭＣビットストリームを復号化するためには、専用のＭＤ復号化器が必要である。
【０００７】
非常に興味深いＭＤＣにおける他の分野は、レイヤ化（スケーラブル）されたビットストリームから複数の記述を構成する順方向エラー訂正符号（ＭＤ−ＦＥＣ）を用いて、複数の記述の符号化である。ＭＤ−ＭＣのようなソース符号化に基づく方法とは対照的に、ＭＤ−ＦＥＣは記述を訂正するためにチャネル符号化を採用し、それ故、同等な優先順位を用いて複数の記述を生成するようにこの訂正を用いている。
【０００８】
ＭＤ−ＦＥＣは、複数の記述に対してスケーラブルなビットストリームをトランスコーディングするために良好なフレームワークを備えている一方、今日の映像符号化規格の多くは、それらの単純性と効率性のために、動き補償予測及びＤＣＴ符号化（ＭＣ−ＤＣＴ）を採用している。しかしながら、画像符号化又は映像符号化の場合とは異なり、ＭＣ−ＤＣＴのためのＭＤ−ＦＥＣの拡張は、符号化及び復号化中に用いられる基準の不適合のために１つ又はそれ以上の記述の損失が時間予測ドリフトをもたらすために、困難である。
【発明の開示】
【発明が解決しようとする課題】
【０００９】
本発明は、ＭＰＥＧ−４  Ｆｉｎｅ−Ｇｒａｎｕｌａｒ  Ｓｃａｌａｂｉｌｉｔｙ（ＦＧＳ）のような多層スケーラブルな符号化スキームとＭＤ−ＦＥＣを結合させることにより上記のドリフトの問題点に対処するものである。
【課題を解決するための手段】
【００１０】
本発明の一特徴は、ソース符号化動作を変化することなく、多層スケーラブルビットストリーム（ＭＰＥＧ−４ＦＧＳ等）により圧縮映像の複数の記述を生成するための簡単で、高効率の方法を提供することである。
【００１１】
本発明の他の特徴に従って、従来の複数の記述の符号化技術のような映像を再構成するために整数の記述を必要とすることに代えて、分数の記述を、映像を再構成するために用いることができる。
【００１２】
本発明の他の特徴に従って、どのようなチャネルが復号化器に達しようと少なくとも１つの記述がある限り、結果としての映像にはドリフトはない。
【００１３】
本発明の一実施形態は、未符号化入力映像データのＤＣＴ係数を決定する段階を有する映像データを符号化するための方法であって、ｆｉｎｅ−ｇｒａｎｕｌａｒ  ｓｃａｌａｂｉｌｉｔｙ符号化に従って、ＤＣＴ係数をベースレイヤビットストリームとエンハンスメントレイヤビットストリームとに符号化する段階と、ベースレイヤビットストリーム及びエンハンスメントレイヤビットストリームを複数の同等の優先順位の記述に変換する段階と、複数の同等の優先順位の記述を復号化する段階と、を有する方法を提供する。
【００１４】
本発明の他の実施形態は、入力映像データを処理するためのシステムを提供する。そのシステムは、入力映像データのＤＣＴ係数を決定するための手段と、ｆｉｎｅ−ｇｒａｎｕｌａｒ  ｓｃａｌａｂｉｌｉｔｙ符号化に従って、ＤＣＴ係数をベースレイヤとエンハンスメントレイヤとに符号化するための手段と、ベースレイヤビットストリーム及びエンハンスメントレイヤビットストリームを複数の同等の優先順位の記述に変換するための手段と、複数の同等の優先順位の少なくとも１つを復号化するための手段と、を有する。
【００１５】
以上の簡潔な要旨については、本発明が容易に理解できるように提供している。本発明の更に詳細な理解は、添付図面を参照して以下に詳述している好適な実施形態により得られる。
【００１６】
以下の詳細説明においては、限定目的ではなく例示目的として、本発明の全体としての理解が得られるように、特定のアーキテクチャ、インタフェース、技術等として特定の詳細について説明している。しかしながら、それらの特定の詳細から逸脱することなく、他の実施形態において本発明を実行することが可能であることは、当業者には明らかであろう。簡単化及び明瞭化のために、以下の詳細説明については、不必要な詳細を伴って、本発明の説明が不明瞭にならないように、周知の装置、回路及び方法についての詳細説明は省略した。
【００１７】
本発明についての理解を容易にするために、スケーラブルな映像符号化の背景について、ここで説明することにする。
【発明を実施するための最良の形態】
【００１８】
スケーラブルな映像符合化は、広い範囲の処理能力を有する符号化器を用いるシステムにおいて用いられる多くのマルチメディアアプリケーション及びサービスに対して好ましい特徴である。スケーラビリティは、低い計算能力を有する処理器がスケーラブルな映像ストリームのサブセットのみを復号化することを可能にする。幾つかの映像スケーラビリティの方法は、例えば、ＭＰＥＧ−２及びＭＰＥＧ−４のようなリード映像圧縮規格により採用されている。時間、空間及び品質（即ち、信号−ノイズ比（ＳＮＲ））スケーラビリティタイプが、それらの規格において規定された。それらの方法全ては、ベースレイヤ（ＢＬ）及びエンハンスメントレイヤ（ＥＬ）を有する。スケーラブルな映像ストリームのベースレイヤ部分は、一般に、そのストリームを復号化するために必要なデータの最小量を表す。そのストリームのエンハンスメントレイヤ部分は付加情報を表し、それ故、受信器により復号化されるときに、映像信号表現を改善する。
【００１９】
例えば、インターネットのような可変帯域幅システムにおいて、ベースレイヤ伝送レートは、可変帯域幅システムの保証された最小伝送レートに設定されることが可能である。それ故、加入者が保証された最小帯域幅２５６ｋｂｐｓを有する場合、ベースレイヤレートは又、２５６ｋｂｐｓにおいて設定されることが可能である。実際に利用可能な帯域幅が３８４ｋｂｐｓである場合、そのベースレイヤレートで伝送されるベース信号を改善するために、帯域幅の付加１２８ｋｂｐｓを用いることが可能である。
【００２０】
各々のタイプの映像スケーラビリティに対して、特定のスケーラビリティ構造が識別される。スケーラビリティ構造は、ベースレイヤのピクチャとエンハンスドレイヤのピクチャの間の関係を規定する。スケーラビリティの１つのクラスはｆｉｎｅ−ｇｒａｎｕｌａｒ  ｓｃａｌａｂｉｌｉｔｙ（ＦＧＳ）である。このタイプのスケーラビリティを用いて符合化された画像は次第に復号化されることができる。換言すれば、復号化器は、画像を符合化するために用いられるデータのサブセットのみを用いてその画像を複合化し、表示することが可能である。更なるデータが受信されるとき、復号化された画像の品質は、完全な情報が受信され、復号化されそして表示されるまで、次第にエンハンスされる。
【００２１】
提案されたＭＰＥＧ−４規格は、例えば、テレビ電話、モバイルマルチメディア／音声映像通信、マルチメディア電子メール、遠隔設定、インタラクティブゲーム等の非常に小さいビットレートの符合化に基づく映像ストリーミングアプリケーションに対処する。ＭＰＥＧ−４規格において、ｆｉｎｅ−ｇｒａｎｕｌａｒ  ｓｃａｌａｂｉｌｉｔｙ（ＦＧＳ）は、ネットワーク化映像配信の基幹技術として認識されている。ＦＧＳは、映像がリアルタイムに異種ネットワークに亘ってストリーミングされるアプリケーションを主に対象としている。そのＦＧＳは、映像伝送サーバが映像ビットストリームの構文解析又は詳細知識において伝送レートを動的に変化させることができること、及びビットレートの範囲に対して一回コンテンツを符合化することにより、帯域幅適応性を提供する。
【００２２】
多くの映像符合化技術は、ウェーブレット、ビットプレーンＤＣＴ及びｍａｔｃｈｉｎｇ  ｐｕｒｓｕｉｔｓを有するエンハンスメントレイヤのＦＧＳ圧縮に対して提供されてきた。ＦＧＳのための基準として採用されたビットプレーン符号化スキームは、符号化器側において次の段階を有し、それらの符合化段階は復号化側において反転される。
１．ベースレイヤ量子化及び逆量子化の後の、再構成されたＤＣＴ係数を各々のオリジナルのＤＣＴ係数から減算することによるＤＣＴドメインにおける残差算出段階
２．映像オブジェクトプレーン（ＶＯＰ）における残差信号の絶対値の全ての最大値と、この最大値に対する最大ビット数ｎとを決定する段階
３．ＶＯＰにおける各々のブロックに対して、バイナリフォーマットにおいてｎビットを有する残差信号の各々の絶対値を表し、ｎビットプレーンを生成する段階
４．残差信号の絶対値のビットプレーン符合化段階
５．ベースレイヤにおいて０に量子化されるＤＣＴ係数の符号の符合化段階
ＤＣＴ係数のビットプレーン符合化の現在の実施はベースレイヤ量子化情報に依存することに留意されたい。エンハンスメントレイヤへの入力信号は、動き補償ピクチャのオリジナルのＤＣＴ係数と、ベースレイヤ符合化中に用いられる下位量子化セルのＤＣＴ係数との間の差として主に計算される（これは、ベースレイヤ再構成ＤＣＴ係数が非ゼロであるとき真であり、そうでないと、減算値としてゼロが用いられる）。ここでは、残差信号を計算するために“基準”信号として下位量子化セル境界が用いられるため、ベースレイヤＤＣＴがゼロに量子化されるときを除いて、残差信号は常に正である。
【００２３】
図１を参照するに、本発明の好適な実施形態に従った、順方向エラー訂正符号トランスコーダ２０及び復号化器４０を用いるドリフトのないＦｒａｃｔｉｏｎａｌ  Ｍｕｌｔｉｐｌｅ−Ｄｅｓｃｒｉｐｔｉｏｎ  Ｊｏｉｎｔ−Ｓｏｕｒｃｅ  Ｃｈａｎｎｅｌ  Ｃｏｄｉｎｇの本発明のシステム１０を示している。上記のように、トランスコーダ２０（又は、サーバ）への入力はＭＰＥＧ４−ＦＧＳビットストリーム（ベースレイヤビットストリーム及びエンハンスメントレイヤビットストリーム）であることが可能である。ここでは、入力映像は、ネットワーク接続、ファックス／モデム接続、映像ソース又はディジタルビデオカメラ等のいずれのタイプの映像補足装置を介して入力されることが可能である。トランスコーダ２０は、それ故、入力映像を優先順位が同等であるｍ＋１個の記述（Ｄ０，Ｄ１，Ｄ２，．．．，Ｄｍ）に変換される。複数の記述を生成することの詳細については、図２乃至４を参照して本明細書において下で説明する。
【００２４】
トランスコーダ２０は、（ｍ＋１）個の記述を（ｍ＋１）個の別個のチャネルにより送信し、次いで、復号化器４０は、映像を再構成するために受信した記述を収集する。トランスコーダ２０は、動作中に全部の記述を送信する又はドロッピングするのではなく、記述の一部のみを送信することが可能であることに留意されたい。しかしながら、本発明の符合化スキームに従って、復号化器４０は入力映像を回復させることができる。例えば、２つの記述、Ｄ０及びＤｍは失われたが、Ｄ２は部分的に受信される場合、復号化器４０は、部分的記述を有するそれらの記述全てを結合させ、下で説明するように、それらの完全な及び部分的な記述の中から最良の有効な映像品質を生成する。
【００２５】
図２を参照するに、ＭＰＥＧ４−ＦＧＳビットストリームはブロックの階層に配列され、ここで、Ｂ０はベースビットストリームを表し、Ｂｉはｉ番目のビットプレーンエントロピー符合化情報を表し、Ｂｉは、ＭＰＥＧ４−ＦＧＳの性質のために、ｉ＜ｊの場合に、Ｂｊより高い優先順位を有する。それ故、全てのｉに対して、Ｂｉは、ここでは、（ｉ＋１）個の同等の優先順位のパーティションＰ０，．．．，Ｐｉに分割される。
【００２６】
図３を参照するに、ＭＰＥＧ４−ＦＧＳの場合、同等の優先順位のパーティションを、特定のブロックに対するビットプレーンを交互にスキップすることにより容易に生成することができる。例えば、ブロック位置Ｐ０における８ｘ８ブロックのエントロピー符合化情報はパーティションＢ２−Ｐ０に含まれる一方、ブロックＰ２はパーティションＢ２−Ｐ２等に挿入される。それ故、Ｂ２−Ｐ０、Ｂ２−Ｐ１、Ｂ２−Ｐ２の寄与は互いに直交しており、同等の優先順位を有する。
【００２７】
各々のビットプレーンのパーティション化の後、ＭＰＥＧ４−ＦＧＳビットストリームの階層は、図４の左上の角の三角形部分のようになる。各々のレイヤＢｉに対して（ｉ＋１）個の同等の優先順位のパーティションが存在し、チャネル符合化は、順方向エラー訂正符号（ＦＥＣ）を用いて右下の角の三角形部分を埋める。即ち、ｉ番目のプレーン又はエンハンスメントレイヤに対して、ＢｉのためのＦＥＣ符号を、（（ｍ＋１），（ｉ＋１））−Ｒｅｅｄ  Ｓｏｌｏｍｏｎ（ＲＳ）符号を用いて生成することができる。次いで、全てのｉに対して、レイヤＢｉは、（ｉ＋１）＋（ｍ＋１−（ｉ＋１））＝（ｍ＋１）個の同等の優先順位のパーティションを有し、それらの中から、（ｉ＋１）個のパーティションがスプリッティング（パーティショニング）によりｉ番目のエンハンスメントレイヤビットストリームから直接生成され、付加的な（ｍ＋１）個のパーティションがＦＥＣにより生成される。各々の記述Ｄ０，Ｄ１，．．．，Ｄｍは、次いで、図４に示すように、垂直方向にベースレイヤ及びエンハンスメントレイヤにおける全てのパーティションを収集することにより構築される。同等の優先順位（Ｄ０，Ｄ１，．．．，Ｄｍ）を有する各々の垂直方向に構築されたパーティションは、トランスコーダ２０により入力映像から変換され、復号化器４０に送られる。
【００２８】
複数の記述の構成から、いずれの（ｋ＋１）個の記述が受信される場合、復号化器４０は、ｋ個のエンハンスメントレイヤ又はｋ個のＭＳＢビットプレーン及び少なくともベースレイヤを有する映像を復号化することができる。更に、ＭＰＥＧ４−ＦＧＳの場合、動き補償ループはベースレイヤのみにおいて動作し、それ故、再構成映像は、ベースレイヤが最低品質に対して必要とされるために、復号化器４０が少なくとも１つの記述を常に受信する限り、ドリフトがない。
【００２９】
映像を再構成するために整数の記述を必要とする従来の複数記述符合化とは異なり、ＦＭＤ−ＦＥＣは、前段落において説明したように分数の記述を可能にし、それ故、大きい帯域幅変動を扱う場合に適応性はより高い。更に具体的には、復号化器４０が２つの完全な記述Ｄ０及びＤ１並びに部分記述Ｄｍを受信する場合であって、Ｂ０−ＦＥＣ、Ｂ１−ＦＥＣ及び半分のＢ２−ＦＥＣのみを有する一方、チャネルｍの処理能力低下に遭遇してサーバがＤｍの一部のみを送信することを決定したために残りの情報（Ｂ２−ＦＥＣの他の半分、Ｂ３−ＦＥＣ、．．．及びＢｍ−Ｐｍ）が失われた場合、本発明の教示するところに従ったＦＭＤ−ＦＥＣ復号化器４０は、Ｂ２−ＦＥＣの一部の情報を用いてＢ３−Ｐ２の一部、Ｂ３−Ｐ０及びＢ３−Ｐ１を再構成することができる。これは、ビットプレーン符合化が本質的にシーケンシャルであるために可能であり、ＦＥＣは又、図４に示すように、シーケンシャルな方式で構成される。
【００３０】
要約すると、本発明の実施形態に従ったＦＭＤ−ＦＥＣは、ｎ＞２に対するｎ個の記述を容易に生成することができ、ソース符号化部分の変更を必要とせず、それ故、既存の符号化規格に準拠しており、分数記述をサーバに送信することができ且つ復号化器において復号化することができ、そして、少なくとも１つの記述が復号化器に達する限り、ドリフトを有しない。
【００３１】
図５は、図１に示しているシステムの機能性を説明するためのフロー図である。先ず、段階Ｓ１００においては、オリジナルの符号化されていない映像データ画システム１００に入力される。この映像データは、ネットワーク接続、ファックス／モデム接続又は映像ソースにより入力されることが可能である。本発明の目的のために、映像ソースは、例えばディジタルビデオカメラである、いずれのタイプのビデオ捕捉装置を有することができる。
【００３２】
次いで、段階Ｓ１２０において、一技術、即ち、ＭＰＥＧ−４  ＦＧＳ符号化器を用いてオリジナルの映像データを符号化し、次いで、図１に示すように、ベースビットストリームとエンハンスメントビットストリームとに分割する。段階Ｓ１４０において、受信されたベースビットストリームとエンハンスメントビットストリームが、複数の記述（ＭＤ）のパケットストリームに変換される。
【００３３】
最終的に、段階１６０において、トランスコーダ２０の出力が復号化器４０により受信され、最低品質に対して必要とされるベースレイヤとしての少なくとも１つの記述に基づいて復号化される。
【００３４】
上記の、本発明の実施形態は、好適には、コンピュータ符号として実施されるが、図５に示す段階の一部又は全部は、個別のハードウェア要素及び／又は論理回路を用いて実施されることができる。又、本発明の符号化及び復号化技術については、ＰＣ環境下で説明したが、それらの技術は、ディジタルテレビジョン／セットトップボックス、テレビ会議装置等を有する、何れのタイプの映像装置を使用することができるが、それらに限定されるものではない。
【００３５】
このような関連で、本発明については、特定の例示としての実施形態を参照して上記のように説明した。本発明は上記の実施形態及びそれらの変形に限定されるものではなく、本発明の主旨及び同時提出の特許請求の範囲から逸脱することなく、種々の変更及び修正を当業者が実行することができることが理解されるであろう。
【図面の簡単な説明】
【００３６】
【図１】本発明の好適な実施形態に従った、映像符号化及び復号化システムを示す図である。
【図２】本発明の好適な実施形態に従った、同等の重要性のＭＰＥＧ−４  ＦＧＳビットプレーンユニットのパーティショニングを示す映像パケット構造を示す図である。
【図３】本発明の好適な実施形態に従った、同等の重要性の３つのパーティションにビットプレーンＢ２を分割する処理を示す映像パケット構造を示す図である。
【図４】本発明の好適な実施形態に従った、複数の記述の構成を示す図である。
【図５】図１に示しているシステムの機能性を説明するためのフロー図である。
【図１】
2006511157.tif 000003
【図２】
2006511157.tif 000004
【図３】
2006511157.tif 000005
【図４】
2006511157.tif 000006
【図５】
2006511157.tif 000007
【国際調査報告】
2006511157.tif 000008
2006511157.tif 000009